【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
３次元フォトニック結晶中に周期欠陥部を有する共振器であって、
該３次元フォトニック結晶は、
屈折率周期構造を含む複数の層を周期的に積層した周期構造部を有し、
該層面内方向の第１の軸に沿って周期ａ、該層面内方向であって該第１の軸と直交する第２の軸に沿って周期ｂを有する第１長方格子の各格子点と、該第１長方格子を該第１の軸に沿ってａ／２且つ該第２の軸に沿ってｂ／４ずらした位置に形成される第２長方格子の各格子点に、第２の媒質より成る孔を有し、該孔以外の領域を第１の媒質で満たした周期構造より成る第１の層と、該第１長方格子を該第２の軸方向に沿って＋３ｂ／８ずらした位置に形成され、該第１の軸に沿って該周期ａ、該第２の軸に沿って該周期ｂを有する面心長方格子の各格子点に、第３の媒質からなり積層方向に軸を有する柱状構造と、該柱状構造以外の領域を前記第２の媒質で満たした周期構造より成る第２の層と、前記第１の層に含まれる周期構造が、層面内方向において該第１の層に対して該第１の軸に沿ってａ／２且つ該第２の軸に沿ってｂ／２ずらした位置に形成される周期構造より成る第３の層と、前記第２の層に含まれる周期構造が、層面内方向において該第２の層と同じ位置に形成される周期構造より成る第４の層を有し、該第１の層、該第２の層、該第３の層、該第４の層の順に積層した構成を有し、
該周期欠陥部は
該第２の層または該第４の層内に形成される柱状構造が有する軸上且つ該第２の層または該第４の層に配置される柱状構造であることを特徴とする共振器。
【請求項２】
３次元フォトニック結晶中に周期欠陥部を有する共振器であって、
該３次元フォトニック結晶は、
屈折率周期構造を含む複数の層を周期的に積層した周期構造部を有し、
該層面内方向の第１の軸に沿って周期ａ、該層面内方向であって該第１の軸と直交する第２の軸に沿って周期ｂを有する第１長方格子の各格子点と、該第１長方格子を該第１の軸に沿ってａ／２且つ該第２の軸に沿ってｂ／４ずらした位置に形成される第２長方格子の各格子点に、第２の媒質より成る孔を有し、該孔以外の領域を第１の媒質で満たした周期構造より成る第１の層と、該第１長方格子を該第２の軸方向に沿って＋３ｂ／８ずらした位置に形成され、該第１の軸に沿って該周期ａ、該第２の軸に沿って該周期ｂを有する面心長方格子の各格子点に、第３の媒質からなり積層方向に軸を有する柱状構造と、該柱状構造以外の領域を前記第２の媒質で満たした周期構造より成る第２の層と、前記第１の層に含まれる周期構造が、層面内方向において該第１の層に対して該第１の軸に沿ってａ／２且つ該第２の軸に沿ってｂ／２ずらした位置に形成される周期構造より成る第３の層と、前記第２の層に含まれる周期構造が、層面内方向において該第２の層と同じ位置に形成される周期構造より成る第４の層を有し、該第１の層、該第２の層、該第３の層、該第４の層の順に積層した構成を有し、
該周期欠陥部は、
該第１の層又は該第３の層の該第１長方格子と該第２長方格子との交点に配置される柱状構造であることを特徴とする共振器。
【請求項３】
３次元フォトニック結晶中に周期欠陥部を有する共振器であって、
該３次元フォトニック結晶は、
屈折率周期構造を含む複数の層を周期的に積層した周期構造部を有し、
該層面内方向の第１の軸に沿って周期ａ、該層面内方向であって該第１の軸と直交する第２の軸に沿って周期ｂを有する第１長方格子の各格子点と、該第１長方格子を該第１の軸に沿ってａ／２且つ該第２の軸に沿ってｂ／４ずらした位置に形成される第２長方格子の各格子点に、第２の媒質より成る孔を有し、該孔以外の領域を第１の媒質で満たした周期構造より成る第１の層と、該第１長方格子を該第２の軸方向に沿って＋３ｂ／８ずらした位置に形成され、該第１の軸に沿って該周期ａ、該第２の軸に沿って該周期ｂを有する面心長方格子の各格子点に、第３の媒質からなり積層方向に軸を有する柱状構造と、該柱状構造以外の領域を前記第２の媒質で満たした周期構造より成る第２の層と、前記第１の層に含まれる周期構造が、層面内方向において該第１の層に対して該第１の軸に沿ってａ／２且つ該第２の軸に沿ってｂ／２ずらした位置に形成される周期構造より成る第３の層と、前記第２の層に含まれる周期構造が、層面内方向において該第２の層と同じ位置に形成される周期構造より成る第４の層を有し、該第１の層、該第２の層、該第３の層、該第４の層の順に積層した構成を有し、
該周期欠陥部は、
該第２の層または該第４の層内に形成される柱状構造が有する軸上且つ該第１の層又は該第３の層に配置される柱状構造であることを特徴とする共振器。
【請求項４】
３次元フォトニック結晶中に周期欠陥部を有する共振器であって、
該３次元フォトニック結晶は、屈折率周期構造を含む複数の層を周期的に積層した周期構造部を有し、該層面内方向の第１の軸に沿って周期ａ、該層面内方向であって該第１の軸と直交する第２の軸に沿って周期ｂを有する第１長方格子の各格子点と、該第１長方格子を該第１の軸に沿ってａ／２且つ該第２の軸に沿ってｂ／４ずらした位置に形成される第２長方格子の各格子点に、第２の媒質より成る孔を有し、該孔以外の領域を第１の媒質で満たした周期構造より成る第１の層と、層面内方向において、前記第１長方格子及び前記第２長方格子の各格子点と、前記第１長方格子を前記第１の軸に沿ってａ／２且つ前記第２の軸に沿ってｂ／２ずらした位置に形成される第３長方格子の格子点と、前記第２長方格子を前記第１の軸に沿ってａ／２且つ前記第２の軸に沿ってｂ／２ずらした位置に配置した第４長方格子の格子点に、前記第２の媒質より成る孔を有し、該孔以外の領域を前記第３の媒質で満たし、該第１長方格子の格子点に配置した該孔と該第２長方格子の格子点に配置した該孔は互いに交差せず、且つ該第３長方格子の格子点に配置した該孔と該第４長方格子の格子点に配置した該孔は互いに交差しない周期構造より成る第２の層と、前記第１の層に含まれる周期構造が、層面内方向において該第１の層に対して該第１の軸に沿ってａ／２且つ該第２の軸に沿ってｂ／２ずらした位置に形成される周期構造より成る第３の層と、前記第２の層に含まれる周期構造が、層面内方向において該第２の層と同じ位置に形成される周期構造より成る第４の層を有し、該第１の層、該第２の層、該第３の層、該第４の層の順に積層してなる３次元フォトニック結晶であって、
該周期欠陥部は
該第２の層または該第４の層内の該第１長方格子または該第３長方格子の格子点を該第２の軸に沿って＋３ｂ／８ずらした位置、または該第２長方格子または該第４長方格子の格子点を該第２の軸に沿って−３ｂ／８ずらした位置且つ該第２の層または該第４の層に配置される柱状構造であることを特徴とする共振器。
【手続補正２】
【補正対象書類名】明細書
【補正対象項目名】発明の名称
【補正方法】変更
【補正の内容】
【発明の名称】共振器
【手続補正３】
【補正対象書類名】明細書
【補正対象項目名】０００１
【補正方法】変更
【補正の内容】
【０００１】
本発明は、３次元的な屈折率周期構造を有する３次元フォトニック結晶を用いた共振器に関するものである。
【手続補正４】
【補正対象書類名】明細書
【補正対象項目名】００１６
【補正方法】変更
【補正の内容】
【００１６】
本発明は、基本周期を形成する層数が少なく、完全フォトニックバンドギャップを呈する周波数帯域が広い３次元フォトニック結晶を用いた、単一モード動作する共振器の提供を目的とする。